(57)【要約】【課題】バックアップメモリの容量を抑えつつ、エラー解析の対象を拡大することができる異常状況記録装置を提供する。【解決手段】特定異常設定部５３は、複数種類の異常のうちのいずれかを、特定異常として設定する。データ書き込む制御部５４は、異常検出部５２により異常が検出されたときに、検出された異常が特定異常であるときは、検出された異常についての異常状況データを不揮発性のメモリ６０に記憶すると共に、以後のメモリ６０への新たな異常状況のデータの書き込みを禁止した上書き禁止状態とし、検出された異常が特定異常以外であって上書き禁止状態でないときには、検出された異常についての異常状況データをメモリ６０に書き込む。【選択図】  図２
2018018468.tif 000002
【特許請求の範囲】
【請求項１】
対象装置で発生する複数種類の異常を区別して検出する異常検出部と、
前記異常検出部により検出された異常の種類と、異常検出時の前記対象装置の状態とを少なくとも示す異常状況データが記憶される記憶部と
を備えた異常状況記録装置であって、
前記複数種類の異常のうちのいずれかを、特定異常として設定する特定異常設定部と、
前記異常検出部により異常が検出されたときに、該検出された異常が前記特定異常であるときは、該検出された異常についての前記異常状況データを前記記憶部に記憶すると共に、以後の前記記憶部への新たな前記異常状況データの書き込みを禁止した上書き禁止状態とし、該検出された異常が前記特定異常以外であって前記上書き禁止状態でないときには、該検出された異常についての前記異常状況データを前記記憶部に書き込むデータ書き込み処理部と
を備えていることを特徴とする異常状況記録装置。
【請求項２】
請求項１に記載の異常状況記録装置において、
前記上書き禁止状態を解除して、前記異常検出部により異常が検出されたときに、前記データ書き込み処理部により、該検出された異常についての前記異常状況データが前記記憶部に書き込まれる状態に復帰させる上書き禁止解除部を備えていることを特徴とする異常状況記録装置。
【発明の詳細な説明】
【技術分野】
【０００１】
本発明は、装置の異常が発生した際に、異常発生時の装置の状態を記録する異常状況記録装置に関する。
【背景技術】
【０００２】
従来、装置本体の異常（エラー）が発生した際に、異常の内容を示すエラーフラグ、異常発生時刻、異常発生時の装置の状態等からなる情報データを、記憶部（電源バックアップされたメモリ）に順次書き込み、予め決定された致命的エラーが発生したときには、それ以降の記憶部への情報データの書き込みを禁止するようにした情報記録再生装置が提案されている（例えば、特許文献１参照）。
【先行技術文献】
【特許文献】
【０００３】
【特許文献１】特開平５−２９８８３５号公報
【発明の概要】
【発明が解決しようとする課題】
【０００４】
上記特許文献１に記載された情報記録再生装置によれば、軽微な装置異常については、エラー情報を上書きして記憶部に書き込むことで、記憶部の容量を抑えている。また、予め決定された致命的エラーが発生したときには、それ以降の記憶部への情報データの書き込みを禁止することによって、致命的エラーが生じたときの情報データが消失することを回避している。
【０００５】
しかしながら、予め設定された致命的なエラー以外に、装置の発売後に発生が確認された機種特有の異常等についても、解析が必要となる場合ある。
【０００６】
本発明はかかる背景に鑑みてなされたものであり、記憶部の容量を抑えつつ、異常解析の対象を拡大することができる異常状況記録装置を提供することを目的とする。
【課題を解決するための手段】
【０００７】
本発明の異常状況記録装置は、
対象装置で発生する複数種類の異常を区別して検出する異常検出部と、
前記異常検出部により検出された異常の種類と、異常検出時の前記対象装置の状態とを少なくとも示す異常状況データが記憶される記憶部と
を備えた異常状況記録装置であって、
前記複数種類の異常のうちのいずれかを、特定異常として設定する特定異常設定部と、
前記異常検出部により異常が検出されたときに、該検出された異常が前記特定異常であるときは、該検出された異常についての前記異常状況データを前記記憶部に記憶すると共に、以後の前記記憶部への新たな前記異常状況データの書き込みを禁止した上書き禁止状態とし、該検出された異常が前記特定異常以外であって前記上書き禁止状態でないときには、該検出された異常についての前記異常状況データを前記記憶部に書き込む
データ書き込み処理部とを備えていることを特徴とする。
【０００８】
かかる本発明によれば、対象装置のメンテナンス作業者等は、対象装置が発売された後であっても、異常解析の対象とする種別の異常を、特定異常設定部により特定異常として設定することができる。そして、これにより、特定異常が発生したときに、データ書き込み処理部により、特定異常についての異常状況データが記憶部に書き込まれた後に、上書き禁止状態となって、特定異常が発生した時の対象装置の状態を示す異常状況データが記憶部に保持される。そのため、メンテナンス作業者等は、解析の対象とする異常の種類を幅広く設定して、異常解析を容易に行うことができる。また、特定異常以外の軽微な異常が発生したときには異常状況データが記憶部に上書きされるため、記憶部の容量を抑えることができる。
【０００９】
また、前記上書き禁止状態を解除して、前記異常検出部により異常が検出されたときに、前記データ書き込み処理部により、該検出された異常についての前記異常状況データが前記記憶部に書き込まれる状態に復帰させる上書き禁止解除部を備えていることを特徴とする。
【００１０】
この構成によれば、特定異常による対象装置の故障を修理した後に、上書き禁止解除部によって上書き禁止状態を解除することにより、次に特定異常が発生した時の異常解析に備えることができる。
【図面の簡単な説明】
【００１１】
【図１】本発明の異常状況記録装置が搭載されたガスコンロの構成図。
【図２】図１に示したガスコンロの制御ブロック図。
【図３Ａ】エラーコードの設定テーブル。
【図３Ｂ】上書き禁止設定テーブルの説明図。
【図３Ｃ】異常状況データの説明図。
【図４】異常状況データの書き込み処理の第１のフローチャート。
【図５】異常状況データの書き込み処理の第２のフローチャート。
【発明を実施するための形態】
【００１２】
本発明の実施形態について、図１〜図５を参照して説明する。
【００１３】
［１．ガスコンロの構成］
図１を参照して、本実施形態のガスコンロ１は、コンロ本体２の上面を覆った天板３から露出した三つのコンロ（左コンロ４、後コンロ６、右コンロ５）を備えている。左コンロ４のバーナは最大火力が最も大きいＨバーナであり、後コンロ６のバーナは最大火力が最も小さいＳバーナであり、右コンロ５のバーナは最大火力がＨバーナよりも小さくＳバーナよりも大きいＭバーナとなっている。また、コンロ本体２の内部には、図示しないＧバーナを備えたグリル７が設けられている。
【００１４】
コンロ本体２の前面には、押し操作及び回転操作により左コンロ４の点火／消火及び火力調節を行うためのＨバーナ用点火消火スイッチ８が設けられている。同様に、右コンロ５の操作のためのＭバーナ用点火消火スイッチ９、後コンロ６の操作のためのＳバーナ用点火消火スイッチ１０、及びグリル７の操作のためのＧバーナ用点火消火スイッチ１１が設けられている。
【００１５】
さらに、コンロ本体２の前面の各点火消火スイッチ８，９，１０，１１の下方位置には、開閉自在の前面パネル１２，１３が設けられている。前面パネル１２を開けると、コンロ用操作パネル２０が現れる。コンロ用操作パネル２０には、コンロ（左コンロ４、後コンロ６、右コンロ５）の調理モード等を設定するためのコンロ用表示部２１とコンロ用設定スイッチ２２とが設けられている。
【００１６】
また、前面パネル１３を開けると、グリル用操作パネル３０が現れる。グリル用操作パネル３０には、グリル７の調理モード等を設定するためのグリル用表示部３１とグリル用設定スイッチ３２とが設けられている。
【００１７】
次に、図２を参照して、ガスコンロ１には、ガスコンロ１の全体的な作動を制御するコントローラ５０が備えられている。コントローラ５０は、図示しないＣＰＵ、メモリ、各種インターフェース回路等により構成された電子回路ユニットであり、メモリに保持されたガスコンロ１の制御用プログラムをＣＰＵで実行することによって、燃焼制御部５１、異常検出部５２、特定異常設定部５３、データ書き込み処理部５４、及び上書き禁止解除部５５として機能する。
【００１８】
燃焼制御部５１は、各バーナ（Ｈバーナ、Ｍバーナ、Ｓバーナ、Ｇバーナ）の燃焼運転を制御する。異常検出部５２は、各バーナで発生する異常を検出する。特定異常設定部５３は、ガスコンロ１のメンテナンス作業者等によるコンロ用設定スイッチ２２、及びグリル用設定スイッチ３２の特殊操作（使用者による通常のスイッチ操作とは異なる操作、長押し操作、複数スイッチの同時操作等）に応じて、後述する特定異常を設定する。
【００１９】
例えば、Ｈバーナの特定異常を設定する場合、メンテナンス作業者等は、コンロ用設定スイッチ２２の特殊操作によって、特定異常の設定用画面（エラーコードが表示される）をコンロ用表示部２１に表示させ、コンロ用設定スイッチ２２のＵＰ／ＤＯＷＮスイッチ（図示しない）を操作して特定異常に設定するエラーコードを選択する。そして、メンテナンス作業者等が、コンロ用設定スイッチ２２により所定の確定操作を行うことによって、特定異常の設定が完了する。
【００２０】
データ書き込み処理部５４は、異常発生時に異常検出部５２により検出された各バーナの異常の種類と異常発生時のガスコンロ１の状態（バーナの状態等）とを示す異常状況データを、メモリ６０（本発明の記憶部に相当する）に書き込む。メモリ６０は、不揮発性のメモリ（例えば、ＥＥＰＲＯＭ）である。
【００２１】
メモリ６０には、詳細は後述するが、各バーナの異常の種類に割り当てられたエラーコードを示すエラーコードテーブル６１、各バーナに対して設定された特定異常を示す特定異常設定テーブル６２、及び各バーナの異常状況データを保持した異常状況データ記録テーブル６３等のデータが保持されている。
【００２２】
コントローラ５０には、Ｍバーナ用点火消火スイッチ９、Ｈバーナ用点火消火スイッチ８、Ｓバーナ用点火消火スイッチ１０、Ｇバーナ用点火消火スイッチ１１、コンロ用設定スイッチ２２、及びグリル用設定スイッチ３２から操作信号が入力される。また、Ｍバーナ用センサ７０（鍋載置検出センサ、温度センサ、サーモカップル等、他のバーナについても同様）、Ｈバーナ用センサ７１、Ｓバーナ用センサ７２、及びＧバーナ用センサ７３による検出信号が入力される。
【００２３】
また、コントローラ５０から出力される制御信号によって、Ｍバーナ用アクチュエータ８０（燃料ガスの供給と遮断を切り替えるガス元弁、燃料ガスの供給流量を変更する流量変更弁等、他のバーナについても同様）、Ｈバーナ用アクチュエータ８１、Ｓバーナ用アクチュエータ８２、Ｇバーナ用アクチュエータ８３、各バーナの点火電極に駆動電圧を印加する点火イグナイタ８４、コンロ用表示部２１、及びグリル用表示部３１の作動が制御される。
【００２４】
コントローラ５０は、パソコン等の通信端末９０との間で有線又は無線による通信を行う機能を有する。メンテナンス作業者等は、メモリ６０に保持された各バーナの異常状況データ等を通信端末９０により読み出して、異常発生時のガスコンロ１の状況を認識することができる。
【００２５】
また、コントローラ５０は、メンテナンス作業者等により、コンロ用設定スイッチ２２の特殊操作（長押し、複数スイッチの同時操作等、通常の運転時の操作とは異なる操作）がなされたときに、異常状況データ記録テーブル６３に保持された各コンロバーナ（Ｈ，Ｍ，Ｓバーナ）の異常状況データの内容を、コンロ用表示部２１に表示する。メンテナンス作業者等は、この操作によっても、各コンロバーナの異常状況データの内容を確認することができる。
【００２６】
同様に、コントローラ５０は、メンテナンス作業者等により、グリル用設定スイッチ３２の特殊操作（長押し、複数スイッチの同時操作等、通常の運転時の操作とは異なる操作）がなされたときに、異常状況データ記録テーブル６３に保持されたＧバーナの異常状況データの内容を、グリル用表示部３１に表示する。メンテナンス作業者等は、この操作によっても、グリルバーナの異常状況データの内容を確認することができる。
【００２７】
コントローラ５０が備えた異常検出部５２、特定異常設定部５３、データ書き込み処理部５４、上書き禁止解除部５５、及びメモリ６０による構成４０は、本発明の異常状況記録装置に相当する。
【００２８】
［２．メモリに保持されるデータ］
次に、図３Ａ〜図３Ｃを参照して、異常検出部５２により検出される複数種類の異常にそれぞれ割り当てられたエラーコードを示すエラーコードテーブル６１、特定異常設定部５３により設定された特定異常のエラーコードが書き込まれる特定異常設定テーブル６２、及びデータ書き込み処理部５４により各バーナの異常状況データが書き込まれる異常状況データ記録テーブル６３とについて説明する。
【００２９】
図３Ａを参照して、異常検出部５２は、各バーナ（Ｍ，Ｈ，Ｓ，Ｇバーナ）の複数種類の異常（点火エラー、途中失火エラー、ハイカット（過熱異常停止）エラー、等）を、エラーコードテーブルに従って検出する。エラーコードテーブル６１は、各異常に対して、エラーコードと検出条件とを割り当てている。例えば、「点火エラー」異常に対しては、「０１」のエラーコードが割り当てられ、検出条件として点火電極を所定時間以上作動させても熱電対の起電力が着火判定レベル以上にならないことが設定されている。
【００３０】
次に、特定異常設定部５３は、図３Ｂに示したように、メンテナンス作業者等により設定された特定異常の種類を示すエラーコードを、各バーナ毎に特定異常設定テーブル６２に設定する。図３Ｂの例では、Ｍバーナについて、点火エラーのエラーコード「０１」が特定異常として設定されている。
【００３１】
次に、データ書き込み処理部５４は、異常検出部５２により異常が検出されたときに、検出された異常の種類を示すエラーコードと、異常発生時のガスコンロ１の状態を示す異常状況データを、各バーナ毎に書き込む。図３Ｃの例では、Ｍバーナの点火異常が検出されたときに、点火異常のエラーコード「０１」と、異常発生時のガスコンロ１の作動状態（サーミスタ検出温度、サーモカップル電圧、可変弁位置等）を示す異常状況データを、メモリに書き込む。
【００３２】
［３．異常状況データの書き込み処理］
次に、図４〜図５に示したフローチャートに従って、データ書き込み処理部５４による異常状況データのメモリ６０への書き込み及び上書き禁止の処理について説明する。
【００３３】
図４のＳＴＥＰ１〜ＳＴＥＰ４により、データ書き込み処理部５４は、各バーナの異常状況データの異常状況データ記録テーブル６３への上書き（更新）を許可する（上書き許可状態）。
【００３４】
続くＳＴＥＰ５〜ＳＴＥＰ９は、Ｍバーナの異常状況データの書き込み及び上書き禁止の処理である。データ書き込み処理部５４は、ＳＴＥＰ５で、異常検出部５２によりＭバーナの異常が検出されたか否かを判断する。そして、Ｍバーナの異常が検出されたときはＳＴＥＰ６に進み、Ｍバーナの異常が検出されていないときにはＳＴＥＰ２０に分岐する。
【００３５】
ＳＴＥＰ６で、データ書き込み処理部５４は、Ｍバーナの異常検出データの上書きが許可されているか否かを判断する。そして、上書きが許可されているときはＳＴＥＰ７に進み、上書きが禁止されているときにはＳＴＥＰ２０に分岐する。
【００３６】
ＳＴＥＰ７で、データ書き込み処理部５４は、検出されたＭバーナの異常に対応したエラーコードと異常発生時のガスコンロ１の状態を示す異常状況データを、メモリ６０の異常状況データ記録テーブル６３に書き込む。続くＳＴＥＰ８で、データ書き込み処理部５４は、検出されたＭバーナの異常が特定異常であるか否かを判断する。そして、検出されたＭバーナの異常が特定異常であるときはＳＴＥＰ９に進み、検出されたＭバーナの異常が特定異常でないときにはＳＴＥＰ２０に分岐する。
【００３７】
ＳＴＥＰ９で、データ書き込み処理部５４は、Ｍバーナの異常状況データの異常状況データ記録テーブルへの上書きを禁止して（上書き禁止状態）、ＳＴＥＰ５に進む。ＳＴＥＰ９の処理により、特定異常が発生したときには、以後の異常状況データ記録テーブル６３への異常対処データの書き込み（上書き）が禁止され、異常状況データ記録テーブル６３に、特定異常が発生した時の異常状況データが保持された状態が維持される。
【００３８】
次に、図４のＳＴＥＰ２０〜ＳＴＥＰ２４は、Ｈバーナの異常状況データの書き込み処理である。データ書き込み処理部５４は、ＳＴＥＰ２０で、異常検出部５２によりＨバーナの異常が検出されたか否かを判断する。そして、Ｈバーナの異常が検出されたときはＳＴＥＰ２１に進み、Ｈバーナの異常が検出されていないときには図５のＳＴＥＰ３０に分岐する。
【００３９】
ＳＴＥＰ２１で、データ書き込み処理部５４は、Ｈバーナの異常検出データの上書きが許可されているか否かを判断する。そして、上書きが許可されているときはＳＴＥＰ２２に進み、上書きが禁止されているときには図５のＳＴＥＰ３０に分岐する。
【００４０】
ＳＴＥＰ２２で、データ書き込み処理部５４は、検出されたＨバーナの異常の種類に対応したエラーコードと、異常発生時のＨバーナの状態を示す異常状況データを、メモリ６０の異常状況データ記録テーブル６３に書き込む。続くＳＴＥＰ２３で、データ書き込み処理部５４は、検出されたＨバーナの異常が特定異常であるか否かを判断する。そして、検出されたＨバーナの異常が特定異常であるときはＳＴＥＰ２４に進み、検出されたＨバーナの異常が特定異常でないときには図５のＳＴＥＰ３０に分岐する。
【００４１】
ＳＴＥＰ２４で、データ書き込み処理部５４は、Ｈバーナの異常状況データの異常状況データ記録テーブル６３への上書きを禁止して（上書き禁止状態）、ＳＴＥＰ５に進む。ＳＴＥＰ２４の処理により、特定異常が発生したときには、以後の異常状況データ記録テーブル６３への異常対処データの書き込み（上書き）が禁止され、異常状況データ記録テーブル６３に、特定異常が発生した時の異常状況データが保持された状態が維持される。
【００４２】
次に、図５のＳＴＥＰ３０〜ＳＴＥＰ３４は、Ｓバーナの異常状況データの書き込み処理である。データ書き込み処理部５４は、ＳＴＥＰ３０で、異常検出部５２によりＳバーナの異常が検出されたか否かを判断する。そして、Ｓバーナの異常が検出されたときはＳＴＥＰ３１に進み、Ｓバーナの異常が検出されていないときにはＳＴＥＰ４０に分岐する。
【００４３】
ＳＴＥＰ３１で、データ書き込み処理部５４は、Ｓバーナの異常検出データの上書きが許可されているか否かを判断する。そして、上書きが許可されているときはＳＴＥＰ３２に進み、上書きが禁止されているときにはＳＴＥＰ４０に分岐する。
【００４４】
ＳＴＥＰ３２で、データ書き込み処理部５４は、検出されたＳバーナの異常の種類を示すエラーコードと、異常発生時のＳバーナの状態とを示す異常状況データを、メモリ６０の異常状況データ記録テーブル６３に書き込む。続くＳＴＥＰ３３で、データ書き込み処理部５４は、検出されたＳバーナの異常が特定異常であるか否かを判断する。そして、検出されたＳバーナの異常が特定異常であるときはＳＴＥＰ３４に進み、検出されたＳバーナの異常が特定異常でないときにはＳＴＥＰ４０に分岐する。
【００４５】
ＳＴＥＰ３４で、データ書き込み処理部５４は、Ｓバーナの異常状況データの異常状況データ記録テーブルへの上書きを禁止して（上書き禁止状態）、図４のＳＴＥＰ５に進む。ＳＴＥＰ３４の処理により、特定異常が発生したときには、以後の異常状況データ記録テーブル６３への異常対処データの書き込み（上書き）が禁止され、異常状況データ記録テーブル６３に、特定異常が発生した時の異常状況データが保持された状態が維持される。
【００４６】
次に、図５のＳＴＥＰ４０〜ＳＴＥＰ４４は、Ｇバーナの異常状況データの書き込み処理である。データ書き込み処理部５４は、ＳＴＥＰ４０で、異常検出部５２によりＧバーナの異常が検出されたか否かを判断する。そして、Ｇバーナの異常が検出されたときはＳＴＥＰ４１に進み、Ｇバーナの異常が検出されていないときには図４のＳＴＥＰ５に分岐する。
【００４７】
ＳＴＥＰ４１で、データ書き込み処理部５４は、Ｇバーナの異常検出データの上書きが許可されているか否かを判断する。そして、上書きが許可されているときはＳＴＥＰ４２に進み、上書きが禁止されているときには図４のＳＴＥＰ５に分岐する。
【００４８】
ＳＴＥＰ４２で、データ書き込み処理部５４は、検出されたＧバーナの異常の種類を示すエラーコードと、異常発生時のＧバーナの状態とを示す異常状況データを、メモリ６０の異常状況データ記録テーブル６３に書き込む。続くＳＴＥＰ４３で、データ書き込み処理部５４は、検出されたＧバーナの異常が特定異常であるか否かを判断する。そして、検出されたＧバーナの異常が特定異常であるときはＳＴＥＰ４４に進み、検出されたＧバーナの異常が特定異常でないときには図４のＳＴＥＰ５に分岐する。
【００４９】
ＳＴＥＰ４４で、データ書き込み処理部５４は、Ｇバーナの異常状況データの異常状況データ記録テーブルへの上書きを禁止して（上書き禁止状態）、図４のＳＴＥＰ５に進む。ＳＴＥＰ４４の処理により、特定異常が発生したときには、以後の異常状況データ記録テーブル６３への異常対処データの書き込み（上書き）が禁止され、異常状況データ記録テーブル６３に、特定異常が発生した時の異常状況データが保持された状態が維持される。
【００５０】
ＳＴＥＰ９、ＳＴＥＰ２４、ＳＴＥＰ３４、及びＳＴＥＰ４４で、上書き禁止状態とされた場合、ガスコンロ１のメンテナンス作業者等は、異常状況データ記録テーブル６３に保持された特定異常の異常対処データを確認することにより、特定異常が発生した時の各バーナの状態を解析して、異常発生の要因分析等を行うことができる。
【００５１】
また、上述した特定異常設定部５３の処理により、メンテナンス作業者等は、特定異常とする異常の種類を任意に設定することができるため、市場におけるガスコンロ１の異常の発生状況に応じて、要因の分析を行いたい異常の種別を変更することができる。
【００５２】
また、上書き禁止状態とされていない場合には、特定異常ではない軽微な異常が検出される毎に、発生した異常についての異常対処データが、異常状況データ記録テーブル６３に上書きされる。このように、軽微な異常については異常対処データを上書きすることにより、メモリ６０の容量を抑えることができる。そして、ガスコンロ１のメンテナンス作業者等は、異常状況データ記録テーブル６３に保持された直近に発生した異常についての異常対処データを確認して、直近に発生した異常の要因分析等を行うことができる。
【００５３】
また、ＳＴＥＰ９、ＳＴＥＰ２４、ＳＴＥＰ３４、及びＳＴＥＰ４４で、上書き禁止状態とされた場合、メンテナンス作業者等は、Ｈ，Ｍ，Ｓバーナに関してはコンロ用設定スイッチ２２の特殊操作により、また、Ｇバーナに関してはグリル用設定スイッチ３２の特殊操作により、上書き禁止解除部５５による処理によって上書き禁止状態を解除することができる。
【００５４】
［４．他の実施形態］
上記実施形態では、図３Ｂに示したように、特定異常設定テーブル６２に、各バーナ（Ｍ，Ｈ，Ｓ，Ｇバーナ）の特定異常を一つ設定する（特定異常を示すエラーコードを一つ書き込む）構成を示したが、特定異常を複数設定できるようにしてもよい。
【００５５】
上記実施形態では、特定異常の設定をコンロ用設定スイッチ２２とグリル用設定スイッチ３２の特殊操作によって行う例を示したが、通信端末９０の操作によって特定異常を設定するようにしてもよい。
【００５６】
上記実施形態では、本発明の異常状況記録装置４０をガスコンロ１に搭載した構成を例示したが、本発明の適用はこの構成に限られず、複数種類の異常を検出して異常発生時の装置の状態を記録する必要がある装置であれば、本発明の異常状況記録装置を搭載してその効果を得ることができる。
【００５７】
また、上記実施形態では、異常状況データの上書き禁止状態を解除する上書き禁止解除部５５を備えた例を示したが、上書き禁止解除部５５を備えていない場合であっても本発明の効果を得ることができる。
【符号の説明】
【００５８】
１…ガスコンロ、２１…コンロ用表示部、２２…コンロ用設定スイッチ、３１…グリル用表示部、３２…グリル用設定スイッチ、５０…コントローラ、５１…燃焼制御部、５２…異常検出部、５３…特定異常設定部、５４…データ書き込み処理部、５５…上書き禁止解除部、６０…メモリ、６１…エラーコードテーブル、６２…特定異常設定テーブル、６３…異常状況データ記録テーブル。
【図１】
2018018468.tif 000003
【図２】
2018018468.tif 000004
【図３Ａ】
2018018468.tif 000005
【図３Ｂ】
2018018468.tif 000006
【図３Ｃ】
2018018468.tif 000007
【図４】
2018018468.tif 000008
【図５】
2018018468.tif 000009